(57)【要約】LTEシステムにおけるPUCCHフォーマット1/1a/1bのための雑音電力評価のための方法(10)が提供され、その方法は、PUCCH内のデータシンボル及び参照シンボルのための少なくとも１つの未使用の直交カバーコード（OCC）を決定する工程(11)と、信号対雑音比（SNR）計算および不連続送信（DTX）検出のために、前記少なくとも１つの未使用のOCCを用いることにより雑音電力を評価する工程(12)とを有する。また、LTEシステムにおけるPUCCHフォーマット1/1a/1bのための雑音電力評価のための装置も提供される。雑音評価の性能は、大幅に改善され、その結果、特にネットワーク内のユーザ数が多い場合にPUCCH検出精度が向上する。
2015534755.tif 000002
【特許請求の範囲】
【請求項１】
LTEシステムにおけるPUCCHフォーマット1/1a/1bのための雑音電力評価のための方法(10)であって、
PUCCH内のデータシンボル及び参照シンボルのための少なくとも１つの未使用の直交カバーコード（OCC）を決定する工程(11)と、
信号対雑音比（SNR）計算および不連続送信（DTX）検出のために、前記少なくとも１つの未使用のOCCを用いることにより雑音電力を評価する工程(12)と、
を有することを特徴とする方法。
【請求項２】
前記少なくとも１つのOCCが、PUCCH内のデータシンボルのための未使用の直交カバー[-1 -1 +1 +1]を含むことを特徴とする請求項１に記載の方法(10)。
【請求項３】
前記雑音電力を評価する工程は、少なくとも１つの空き巡回シフトと組み合わせて前記少なくとも１つの未使用のOCCを使用することにより雑音電力を評価する工程を含むことを特徴とする請求項１に記載の方法(10)。
【請求項４】
前記雑音電力を評価する工程は、
受信したPUCCH周波数信号からZadoff-Chuシーケンスを除去することによりデータシンボルと参照シンボルとを取得する工程と、
前記少なくとも１つの未使用のOCCを使用して、前記データシンボルと参照シンボルとを逆拡散する工程と
を含むことを特徴とする請求項１乃至３のいずれか一項に記載の方法(10)。
【請求項５】
前記雑音電力が、前記データシンボルのための未使用のOCCの数と、前記参照シンボルのための未使用のOCCの数とに関連して評価されることを特徴とする請求項４に記載の方法(10)。
【請求項６】
前記雑音電力が、下式
【数１】
2015534755.tif 000017
に従って導かれ、
ここで、Ids_freeとIrs_freeはそれぞれ、データシンボルと参照シンボルのための未使用のOCCの数であり、ids_freeとirs_freeはそれぞれ、データシンボルと参照シンボルのための未使用のOCCのインデックスを示し、aは受信アンテナのインデックスであり、kは副搬送波のインデックスであり、K=0,1,...,NscRB-1,NscRBは、１つのRB内の副搬送波の番号であり、
【数２】
2015534755.tif 000018
および
【数３】
2015534755.tif 000019
は、データシンボルと参照シンボルについて、逆拡散後の雑音信号をそれぞれ示していることを特徴とする請求項５に記載の方法(10)。
【請求項７】
LTEシステムにおけるPUCCHフォーマット1/1a/1bのための雑音電力評価のための装置(20)であって、
PUCCH内のデータシンボル及び参照シンボルのための少なくとも１つの未使用の直交カバーコード（OCC）を決定するよう構成された決定モジュール(21)と、
信号対雑音比（SNR）計算および不連続送信（DTX）検出のために、前記少なくとも１つの未使用のOCCを用いることにより雑音電力を評価するよう構成された評価モジュール(22)と、
を有することを特徴とする装置(20)。
【請求項８】
前記評価モジュール(22)は、PUCCH内のデータシンボルのための未使用の直交カバー[-1 -1 +1 +1]を使用することにより雑音電力を評価するよう構成されることを特徴とする請求項７に記載の装置(20)。
【請求項９】
前記評価モジュール(22)は、少なくとも１つの空き巡回シフトと組み合わせて前記少なくとも１つの未使用のOCCを使用することにより雑音電力を評価するよう構成されることを特徴とする請求項７に記載の装置(20)。
【請求項１０】
前記評価モジュール(22)は、
受信したPUCCH周波数信号からZadoff-Chu(ZC)シーケンスを除去することによりデータシンボルと参照シンボルとを取得し、
前記少なくとも１つの未使用のOCCを使用して、前記データシンボルと参照シンボルとを逆拡散する
よう構成されることを特徴とする請求項７乃至９のいずれか一項に記載の装置(20)。
【請求項１１】
前記雑音電力が、前記データシンボルのための未使用のOCCの数と、前記参照シンボルのための未使用のOCCの数とに関連して評価されることを特徴とする請求項７乃至９のいずれか一項に記載の装置(22)。
【請求項１２】
前記雑音電力が、下式
【数１】
2015534755.tif 000020
に従って導かれ、
ここで、Ids_freeとIrs_freeはそれぞれ、データシンボルと参照シンボルのための未使用のOCCの数であり、ids_freeとirs_freeはそれぞれ、データシンボルと参照シンボルのための未使用のOCCのインデックスを示し、aは受信アンテナのインデックスであり、kは副搬送波のインデックスであり、K=0,1,...,NscRB-1,NscRBは、１つのRB内の副搬送波の番号であり、
【数２】
2015534755.tif 000021
および
【数３】
2015534755.tif 000022
は、データシンボルと参照シンボルについて、逆拡散後の雑音信号をそれぞれ示していることを特徴とする請求項１１に記載の装置(22)。
【請求項１３】
請求項７乃至１２のいずれか一項に記載の装置(20)を含むことを特徴とする基地局。
【請求項１４】
請求項１乃至６のいずれか一項に記載の方法を実行するよう構成された、コンピュータ可読媒体に格納されたコンピュータ実行可能命令のセットを含むコンピュータプログラム。
【請求項１５】
コンピュータ装置内のプロセッサにより実行された場合に、前記コンピュータ装置により請求項１乃至６のいずれか一項に記載の方法を実行させるコンピュータ実行可能命令のセットを含むコンピュータプログラムを格納したコンピュータ可読媒体。
【発明の詳細な説明】
【技術分野】
【０００１】
本発明は一般に、長期発展(LTE)システムのためのアップリンク制御信号送信に関し、特に物理アップリンク制御チャネル(PUCCH)フォーマット1/1a/1bのために電力評価方法と装置に関連する。
【背景技術】
【０００２】
LTEシステムにおいて、アップリンク(UL)制御信号は２つのアプローチによって送信される。
【０００３】
第一に、現在のサブフレーム上にスケジューリングされたPUSCHがある場合に、UL制御信号は物理アップリンク共有チャネル(PUSCH)上に送信される。この場合に、UL制御信号は、シングルキャリヤ特性を保持するためキュービックメトリック(CM)を減らすよう離散フーリエ変換(DFT)オペレーションの前にUL-SCHデータと多重化されるであろう。このアプローチはPUSCH上のアップリンク制御情報(UCI)と呼ばれる。
【０００４】
第二に、現在のサブフレーム上にスケジューリングされたPUSCHが全くない場合に、UL制御信号はPUCCHチャネル上に送信される。PUCCHチャネルは多くのフォーマットをサポートし、そのため、ハイブリッドARQ肯定応答(HARQ-ACK)、チャネル状態インジケータ及びスケジューリング要求を含むさまざまなタイプの制御情報を搬送することができる。
【０００５】
原則において、eNodeBは、例えば端末からのHARQ-ACKを期待するタイミングを知っており、従ってPUCCH上の肯定応答の適切な復調を実行することができる。しかし、端末が、物理ダウンリンク制御チャネル(PDCCH)上のスケジューリング割り当てに失敗する一定の可能性があり、その場合、端末は送信しないかもしれないが、その間ずっとeNodeBはHARQ-ACKを期待しているであろう。
【０００６】
失敗した可能性のあるPDCCH割り当て(例えばHARQ-ACKの存在／不在)を扱うために、3GPPはHARQ-ACK検出失敗確率と同様に例えばHARQ-ACK誤認警報(false alarm)検出確率を必要とする。この必要により、ハイブリッドARQ肯定応答での不連続送信(DTX)検出を実行するという課題(それは些細な挑戦ではない)が提示される。雑音電力評価は、多くのアプリケーションにおけるPUCCHのためのHARQ-ACK誤認警報検出において重要な役割を果たし、例えば、しきい値（雑音電力と定数値との積として示される）を越えている検出された信号の電力は、ACKまたはNACKの存在とみなされる。それゆえ、雑音電力評価の精度は直接PUCCHフォーマット1/1a/1bの検出性能に影響を与える。
【０００７】
PUCCH雑音評価のための多くのアプリケーションにおいては、雑音評価のために空き巡回シフトを使うだけである。巡回シフトは、ユーザの間の直交性を保持するために、別々のユーザに割り当てられるであろう。ネットワーク内のユーザが多い場合、空き巡回シフトの数は不足し、全く無いことにさえなる。利用可能な空き巡回シフトの数がより少ないほど、雑音評価に関する性能はより悪化する。空き巡回シフトが全然なくなったら、雑音評価は遂行できない。
【発明の概要】
【０００８】
本明細書は、たとえば、複数ユーザのスケジューリング要求(SR)またはACK/NACKが同じ物理リソースブロック(PRB)上に多重化される場合の、雑音評価のための方法及び装置を提供し、その結果、好ましくは、上で言及した不利益の1つ以上を、単独でまたは任意の組み合わせで和らげ、緩和し、取り除くことを目的としている。
【０００９】
本発明の第１の側面においては、LTEシステムにおけるPUCCHフォーマット1/1a／1bの雑音電力評価のための方法であって、PUCCH内のデータシンボルおよび参照シンボルのための少なくとも１つの未使用の直交カバーコード(OCC)を決定する工程と、信号対雑音比（SNR）計算、および不連続送信（DTX）検出のために前記少なくとも１つの未使用のOCCを採用することによって雑音電力を評価する工程とを含む方法が提供される。
【００１０】
本実施形態において、前記少なくとも１つのOCCは、PUCCH内のデータシンボルのための未使用の直交カバー[-1 -1 +1 +1]を含んでもよい。
【００１１】
本実施形態において、前記雑音電力は、少なくとも１つの空き巡回シフトとの組み合わせて前記少なくとも１つの未使用のOCCを採用することによって評価される。
【００１２】
本実施形態において、前記雑音電力を評価する工程は、前記データシンボルと前記参照シンボルとを取得するために、受信したPUCCH周波数信号からZadoff-Chu(ZC)シーケンスを除去する工程を含み、取得したデータシンボル及び参照シンボルは、前記少なくとも１つの未使用のOCCを用いて逆拡散される。
【００１３】
本実施形態において、前記雑音電力は、データシンボルのための未使用のOCCの数と、参照シンボルのための未使用のOCCの数とに関連して評価される。
【００１４】
本実施形態において、雑音電力は下式に従って導かれる。
【００１５】
【数１】
2015534755.tif 000003
【００１６】
ここで、Ids_freeとIrs_freeはそれぞれ、データシンボルと参照シンボルの未使用のOCCの数でそれぞれあり、ids_freeとirs_freeはそれぞれ、データシンボルと参照シンボルのための未使用のOCCのインデックスを示し、aは受信アンテナのインデックスであり、kは副搬送波のインデックスである。K=0,1,...,NscRB-1,NscRBは、１つのRB内の副搬送波の番号であり、
【００１７】
【数２】
2015534755.tif 000004
【００１８】
および
【００１９】
【数３】
2015534755.tif 000005
【００２０】
は、データシンボル及び参照シンボルについて、逆拡散後の雑音信号をそれぞれ示している。
【００２１】
本発明の第２の側面においては、LTEシステムにおけるPUCCHフォーマット1/1a／1bの雑音電力評価のための装置であって、PUCCH内のデータシンボルおよび参照シンボルのための少なくとも１つの未使用の直交カバーコード(OCC)を決定するよう構成された決定モジュールと、信号対雑音比（SNR）計算、および不連続送信（DTX）検出のために前記少なくとも１つの未使用のOCCを採用することによって雑音電力を評価するよう構成された評価モジュールとを含む装置が提供される。
【００２２】
本実施形態において、前記評価モジュールは、前記雑音電力を評価するために、PUCCH内のデータシンボルのための未使用の直交カバー[-1 -1 +1 +1]を採用するよう高位精されてもよい。
【００２３】
本実施形態において、前記評価モジュールは、前記雑音電力を評価するために、少なくとも１つの空き巡回シフトと組み合わせて前記少なくとも１つの未使用のOCCを採用するよう構成されてもよい。
【００２４】
本実施形態において、前記評価モジュールは、受信したPUCCH周波数信号からZadoff-Chu(ZC)シーケンスを除去することによって前記データシンボルと前記参照シンボルとを得、前記データシンボルと参照シンボルとを、前記少なくとも１つの未使用のOCCを用いて逆拡散するよう構成されてもよい。
【００２５】
本発明の第３の側面においては、本発明の実施形態の装置を含む基地局が提供される。望ましくは、基地局はeNodeBデバイスである。
【００２６】
本発明の第４の側面においては、実行されたときに本発明の実施形態の方法を実現する、コンピュータ可読媒体に格納したコンピュータ実行命令のセットを含むコンピュータプログラム製品が提供される。
【００２７】
本発明の第５の側面においては、コンピュータデバイスのプロセッサにより実行されたときに、そのコンピュータデバイスに本発明の実施形態の方法を実行させる、コンピュータ実行命令のセットを含むコンピュータプログラム製品を格納したコンピュータ可読媒体が提供される。
【００２８】
本発明の様々な面においては、雑音評価の性能は大幅に改善され、その結果、特にネットワーク内のユーザ数が多い場合に、PUCCHの検出精度を向上させることができる。従って、このように、基地局(例えばeNodeB)はPUCCH上の肯定応答の適切な復調を実行する。
【図面の簡単な説明】
【００２９】
添付図面を参照して説明した、本発明の後述の例示的実施形態から、本発明の特徴および利点は明白である。
【図１】図１は、本発明の実施形態に従って、LTEシステムにおけるPUCCHフォーマット1/1a/1bのための雑音電力評価の方法の概略フローチャートを説明する。
【図２】図２は、本発明の実施形態に従って、LTEシステムにおけるPUCCHフォーマット1/1a/1bのための雑音電力評価のために装置の概略構造式を説明する。
【図３】図３は、ネットワーク内のユーザが１人の状態で、評価した雑音電力についての模範的な概略累積分布関数(CDF)曲線を説明する。
【図４】図４は、ネットワーク内のユーザが６人の状態で、評価した雑音電力についての模範的な概略累積分布関数(CDF)曲線を説明する。
【図５】図５は、ネットワーク内のユーザが１０人の状態で、評価した雑音電力についての累積分布関数(CDF)曲線の模範的な概略プロットを説明する。
【図６】図６は、ネットワーク内のユーザが１人の状態で、PUCCHフォーマット1aについてのブロック誤り率(BLER)の模範的な概略プロットを説明する。
【図７】図７は、ネットワーク内のユーザが６人の状態で、PUCCHフォーマット1aについてのブロック誤り率(BLER)の模範的な概略プロットを説明する。
【発明を実施するための形態】
【００３０】
本発明の実施形態は、添付図面を参照して以下に詳細に説明されるであろう。しかしさ、本発明をまざまな形式に具現化することができ、ここに記述された実施形態および具体的な詳細にまで制限されることと解釈されるべきでないことは当業者には明白であろう。説明を通して、同じ番号は同じ要素を指す。
【００３１】
この明細書において、特定の用語は、発明を例証するために使われているけれども、これは、本発明の範囲を、前記の通信システムだけに制限するものと考えられるべきでない。通信の急速な発展によって、もちろん、本発明が適用できる技術およびシステムの将来のタイプもまたあるであろう。
【００３２】
本発明の文脈において、用語「直交カバー」、「直交カバーコード」、「OCC」および「直交シーケンス」などは、本技術において知られているように、すべて同じ意味を指す。
【００３３】
直交カバーは、データおよび参照信号(RS)の両方のためにPUCCHにおいて使われる。この明細書において、雑音電力は、使用済みのOCCに直交する未使用の又は空きOCCを採用することによって評価される。１つのスロットの中に４つのデータシンボルがあるけれどもLTE仕様書においては３つのOCCのみが記載されていることを考慮すれば、多くのユーザに対してさえPUCCHデータシンボルのための１つの空きOCCが常にある。他のあり得る空きOCCとともにこの空きOCCを雑音評価のために使うことができる。これにより、ユーザ数が多い場合には巡回シフトが尽きるであろうという既存のソリューションの問題を解決することができる。
【００３４】
物理アップリンク制御チャネル(PUCCH)は、アップリンク制御情報を搬送することができる。物理アップリンク制御チャネル(PUCCH)はLTEシステムにおいて複数のフォーマットをサポートする。LTEシステムにおけるPUCCHフォーマット1/1a/1bのために、評価した雑音電力は、信号対雑音比(SNR)計算、および／またはDTX検出のために使われる。通常、雑音共分散は、物理リソースブロック(PRB)、スロット、およびアンテナごとに評価されていて、そのPRB内のすべてのユーザについて共通である。通常の巡回プレフィクス(CP)長の設定によって、長さ４(length-4)と長さ３(length-3)の直交カバーシーケンスは、PUCCHデータシンボルと参照シンボルのために別々にデザインされる。複数ユーザが、同じ時間周波数リソース上でデータシンボルを送信でき、異なる巡回シフトおよび長さ４の直交カバーを通じて分離され得る。それぞれのユーザのためにチャネルの評価を可能とすべく、参照信号は巡回シフトと、その上長さ３の直交カバーシーケンスを採用する。下記のテーブル１と２は、データ信号と参照信号とによって慣例的にそれぞれ使われた直交カバーを要約したものである。
【００３５】
【表１】
2015534755.tif 000006
【００３６】
【表２】
2015534755.tif 000007
【００３７】
上のテーブルから、３つの直交カバーだけがデータと参照信号のためにそれぞれ使われる。しかし、データシンボル上の直交カバーの長さが４であるので、互いに直交する４つのベクトルがあるであろう。上記表１において定義された３つの直交カバーが使われると考えると、いかなるユーザによっても常に使用されない他の空き直交カバー[-1 -1 +1 +1]があるであろう。直交シーケンス[-1 -1 +1 +1]の反対の符号を持つ直交シーケンス[1 1 -1 -1]もまた、データシンボル上で定義された直交カバーと直交することに注意すべきである。しかし、拡散または相関から考えると、直交シーケンス[-1 -1 +1 +1]と[1 1 -1 -1]との間にはいかなる違いもない。
【００３８】
図１はLTEシステムにおけるPUCCHフォーマット1/1a/1bのための雑音電力の評価の方法の概要のフローチャートを示す。
【００３９】
この方法において、第１に、未使用の直交カバーコード(OCC)は、PUCCHにおけるデータシンボルと参照シンボルのために決定できる。未使用の、すなわち空きOCCが、データシンボルまたは参照シンボルのために使われない１つ以上のOCCを含んでよいことは注意すべきである。
【００４０】
特に、本実施形態においては、いつも未使用の、すなわち空き直交カバーシーケンス[-1 -1 +1 +1]は、特にネットワークの中のユーザが多い場合に、ネットワーク内の異なるユーザに対する雑音電力評価のために常に使うことができる。別の実施形態においては、雑音電力はまた、決定した１つ以上の他の空きOCC(s)に基づいて、および／またはRSに基づいて計算することができる (それはどのようなユーザにも割り当てられない)。また別の実施形態において、データおよび／または参照シンボルのための決定された、どのユーザにも割り当てられていない未使用のOCC(s)に基づいて雑音電力を評価することもできる。更に他の実施形態では、決定された未使用のOCC(s)はまた雑音電力評価のための少なくとも１つの空き巡回シフトと組み合わせて用いることもできる。
【００４１】
第二に、雑音電力は、未使用のOCC(s)を採用することによって評価でき、その結果信号対雑音比（SNR）計算、および不連続送信（DTX）検出のために使うことができる。
【００４２】
雑音電力評価の精度がデータシンボルのための未使用のOCCの数と参照シンボルのための未使用のOCCの数とに関連づけることができることに注意すべきである。より多くの未使用の、すなわち空きOCCが雑音電力評価のために使われるほど、よりよいDTX検出の性能が得られるであろう。
【００４３】
例えば、一実施形態において、１つのスロットの中の着目リソースブロック(RB)の受信PUCCH信号を、
【００４４】
【数４】
2015534755.tif 000008
【００４５】
で表すものとし、ここでlがOFDMシンボルを示し、通常のＣＰ庁に対してl＝０，１、...，６であり、aは受信アンテナのインデックスであり、kは副搬送波のインデックスである。u番目のユーザのためのZCシーケンスは、
【００４６】
【数５】
2015534755.tif 000009
【００４７】
で表される。
【００４８】
第１のステップのために、Zadoff-Chuシーケンスは、受信PUCCH周波数信号から除去され、その結果生じるデータシンボルと参照シンボルを得ることができる。
【００４９】
特に、数式(1)に従って、ZCシーケンスは周波数領域で除去され、その結果生じるシンボル
【００５０】
【数６】
2015534755.tif 000010
【００５１】
を得る。
【００５２】
【数７】
2015534755.tif 000011
【００５３】
...(1)。
【００５４】
データシンボルは数式(2)として示すことができる。
【００５５】
【数８】
2015534755.tif 000012
【００５６】
ここで、l∈［０，１，５，６］かつl'＝０，１，２，３  ...(2)。
参照シンボルは数式(3)として示すことができる。
【００５７】
【数９】
2015534755.tif 000013
【００５８】
ここで、l∈［２３４］かつl"＝０，１，２  ...(3)。
【００５９】
第二ステップのために、結果として得られたデータシンボル及び参照シンボルは、前記少なくとも１つの未使用OCCを用いて逆拡散される。
【００６０】
特に、いかなるユーザによっても使用されないOCC(s)は、データシンボルについてはwds(ids_free,l')、参照シンボルについてはwrs(irs_free,l")と定義することができ、ここで、l'＝0,1,2,3およびl"＝0,1,2はそれぞれシンボルのインデックスを示し、ids_freeおよびirs_freeはデータシンボル及び参照シンボルの未使用のOCCのインデックスをそれぞれ示す。ids_free＝３に対するwds(ids_free,l')＝[-1 -1 +1 +1]は雑音評価のため常に空いていることは注意すべきである。
【００６１】
周波数信号は、未使用のOCC(s)を使って逆拡散され、そして、逆拡散後のすべてのサンプルは雑音であり、それらは数式(4)と(5)として示すことができる。
【００６２】
【数１０】
2015534755.tif 000014
【００６３】
これらの雑音サンプルによって、下のように、最終的な雑音電力は数式(6)として導くことができる。
【００６４】
【数１】
2015534755.tif 000015
【００６５】
...(6)
ここで、ids_freeおよびirs_freeはデータシンボル及び参照シンボルそれぞれのための空きOCC(s)の数である。
【００６６】
本実施形態によると、雑音電力はいつも改善された方法で導くことができ、それにより、DTX検出はより正確に実行されるであろうし、eNodeBは従ってPUCCH上の肯定応答の適切な復調を実行することができる。
【００６７】
図２は、LTEシステムにおけるPUCCHフォーマット1/1a/1bのための雑音電力評価のための装置20の概要のブロック図を説明する。
【００６８】
PUCCHにおけるデータシンボルと参照シンボルのための１つ以上の未使用の直交カバーコード(OCC)を決定するために、装置20は決定モジュール21を含む。この装置は、信号対雑音比(SNR)計算、および／または不連続送信(DTX)検出のためにひとつ以上の未使用のOCC(s)を使用することによって雑音電力を評価するための評価モジュール22もまた含んでよい。
【００６９】
できれば、雑音電力を評価するために、評価モジュール22はPUCCHにおけるデータシンボルのための未使用の直交カバー[-1 -1 +1 +1]を使用してもよい。その代わりに、評価モジュール22はまた、空き巡回シフト(s)と組み合わせて未使用の直交カバー[-1 -1 +1 +1]を含む1つ以上の未使用の、すなわち空きOCCを採用することができる。
【００７０】
本実施形態において、評価モジュール22は、結果として生じるデータシンボルと参照シンボルを得るようにZadoff-Chu(ZC)シーケンスを受信したPUCCH周波数信号から除去できる。そして、少なくとも１つの未使用のOCCを使って、結果として生じるデータシンボルと参照シンボルとを逆拡散し、その結果生じる雑音電力を得る。
【００７１】
雑音電力評価の精度がデータシンボルのための未使用のOCCの数と参照シンボルのための未使用のOCCの数とに関連づけられることは注意すべきである。より多くの未使用の、または空きOCCが雑音電力評価のために使われるほど、よりよいDTX検出の性能が得られるであろう。
【００７２】
別の実施形態においては基地局が提供される。基地局は装置20を含む。
【００７３】
上記実施形態によると、雑音電力評価およびその結果DTX検出の性能は改善されるであろう。
【００７４】
この明細書において、１人のユーザ、６人のユーザ、および１０人のユーザの場合それぞれのケースについて、本発明の実施形態と既存のソリューションとの間の雑音評価のための性能の比較が提供される。シミュレーションパラメータは次の通りである。
【００７５】
【表３】
2015534755.tif 000016
【００７６】
シミュレーション結果は図３−図７において提供される。題名'Alg1：CS'を持つ曲線は、既存のソリューションの性能を示し、題名'Alg2：OCC'を持つ曲線は、本発明の実施形態の性能を示す。
【００７７】
図３から図５は、異なる数のユーザを持つ場合について評価されている雑音電力に関する累積分布関数(CDF)曲線を説明する。単一のユーザを持つ場合については、本発明の実施形態により評価されている雑音電力が、既存のソリューションによるそれとほとんど同じであることがわかる（それはシミュレーションにおいて追加された実際の雑音電力と位置合わせされている）。しかし、ユーザの数の増加（例えば６人のユーザと１０人のユーザ）とともに、既存のソリューションにより評価されている雑音電力（実線によって示される）は、本発明の実施形態におけるそれよりも急速に変化して、実際の雑音電力値（点線によって示される）から離れる。
【００７８】
PUCCH検出性能への評価雑音電力の影響を評価するために、次に、PUCCHフォーマット1aのためのブロック誤り率(BLER)が、異なる数のユーザを持つ場合について図６から図７においてプロットされる。
【００７９】
図６(すなわち１人のユーザ)及び図７(すなわち６人のユーザ)から、雑音評価のための空き巡回シフトを用いる既存のソリューションの性能（例えば実線の曲線）は、ユーザの数が増加するに伴って、特にユーザの数が多い(例えば図７における６人のユーザ)場合に急速に低下する。しかし、雑音評価のために空き直交カバー(例えば点線の曲線)を用いているこの開示の性能は、ユーザ数の増加に伴って(例えば図7における６人のユーザ)ゆっくり低下する。ユーザ数が多くてさえ、残された１つの空き直交カバーがいつもあるので、性能は安定し続ける。
【００８０】
明晰さのための上記の説明が異なる機能単位とプロセッサに関して発明の実施形態を説明したことは理解されるであろう。しかし、異なる機能単位またはプロセッサの間の機能性のどのような適当な分散でも、発明を損なわずに用いることができることは明白になるであろう。例えば、別個のプロセッサまたはコントローラによって実行されるよう説明された機能性は、同じプロセッサまたはコントローラによって実行されてもよい。それゆえ、特定の機能単位の参照は、厳格な論理的または物理的構造または組織を示すよりも、説明された機能性を提供するために適した手段の参照であると理解されるだけである。
【００８１】
本発明の実施形態の要素と構成品はどのような適当な方法ででも、物理的に、機能的に、論理的に実施することができる。実際に、機能性は、単一のユニットまたは部分で、または複数のユニットで、または他の機能性ユニットの一部として実現してもよい。このように、本発明は、単一ユニットにおいて実施できるし、あるいは、物理的かつ機能的に異なるユニットおよびプロセッサに分散することもできる。
【００８２】
個々の機能は異なる請求項に含められているかもしれないが、これらが場合によっては有利に結合され得ることに注意すべきであるり、異なる請求項の中に含めることは、機能の組み合わせが実現可能でなく、および／または有利でないことを意味していない。また、請求項の１つのカテゴリの中に機能を含めることは、このカテゴリへの限定を意味しておらず、むしろ、この機能が他の請求項のカテゴリに等しく適用可能であることを必要に応じて示す。さらに、それは、請求項または明細書における機能／工程の順序は、その機能／工程が動作しなければならないいかなる特定の順序も意味しないことに注意すべきである。むしろ、工程／機能はどのような適当な順序ででも実行してよい。
【００８３】
本発明の実施形態の要素と構成品はどのような適当な方法ででも、物理的に、機能的に、論理的に実施することができる。実際に、機能性は、単一のユニットまたは部分で、または複数のユニットで、または他の機能性ユニットの一部として実現してもよい。このように、本発明は、単一ユニットにおいて実施できるし、あるいは、物理的かつ機能的に異なるユニットおよびプロセッサに分散することもできる。
【００８４】
ここに使われた用語は、特定の実施形態を説明するためだけが目的であり、発明を限定することを意図していない。ここに使われるように、異なる形で述べられない限り、単数形「a」、「an」、および「the」は、複数形をも含むことを意図している。ここに使われる用語「含む」、「備える」、およびそれらの活用は、ここで用いられる場合、説明した機能、整数、工程、操作、要素、および／または構成品の存在を特定することはさらに理解されるであろうけれども、１つ以上の他の機能、整数、工程、操作、要素、構成品および／またはグループの存在または追加を妨げない。
本発明は特にその模範的な実施形態を参照して示されて説明されたけれども、形式及び詳細の様々な変化が、添付された請求項によって定義された発明の精神および範囲から離れることなく成し得ることは当業者によって理解されるであろう。模範的な実施形態は、限定の目的のためにではなく、説明の意味だけにおいて考慮されるべきである。従って、発明の範囲は発明の詳細な説明によってではなく付加された請求項によって定められる。
【図１】
2015534755.tif 000023
【図２】
2015534755.tif 000024
【図３】
2015534755.tif 000025
【図４】
2015534755.tif 000026
【図５】
2015534755.tif 000027
【図６】
2015534755.tif 000028
【図７】
2015534755.tif 000029
【手続補正書】
【提出日】平成27年9月18日(2015.9.18)
【手続補正１】
【補正対象書類名】特許請求の範囲
【補正対象項目名】請求項１１
【補正方法】変更
【補正の内容】
【請求項１１】
前記雑音電力が、前記データシンボルのための未使用のOCCの数と、前記参照シンボルのための未使用のOCCの数とに関連して評価されることを特徴とする請求項７乃至９のいずれか一項に記載の装置(20)。
【手続補正２】
【補正対象書類名】特許請求の範囲
【補正対象項目名】請求項１２
【補正方法】変更
【補正の内容】
【請求項１２】
前記雑音電力が、下式
【数１】
2015534755.tif 000030
に従って導かれ、
ここで、Ids_freeとIrs_freeはそれぞれ、データシンボルと参照シンボルのための未使用のOCCの数であり、ids_freeとirs_freeはそれぞれ、データシンボルと参照シンボルのための未使用のOCCのインデックスを示し、aは受信アンテナのインデックスであり、kは副搬送波のインデックスであり、K=0,1,...,NscRB-1,NscRBは、１つのRB内の副搬送波の番号であり、
【数２】
2015534755.tif 000031
および
【数３】
2015534755.tif 000032
は、データシンボルと参照シンボルについて、逆拡散後の雑音信号をそれぞれ示していることを特徴とする請求項１１に記載の装置(20)。
【国際調査報告】
2015534755.tif 000033
2015534755.tif 000034